(57)【要約】【課題】  ベアリング式ナットの構成部品を減らすと共に、その製造加工を容易にすること。【解決手段】  ドライブナット及びベアリングスリーブからなる。ベアリングスリーブを一体成型に設計し、且つベアリングスリーブの外径にはスルーホールを設けてベアリングスリーブ内径の環状ボール転動溝へ連通させる。スルーホールにはベアリングスリーブの環状ボール転動溝から延伸し且つスルーホールを遮断するリテーナーを設ける。【選択図】  図１
2006105168.tif 000002
【特許請求の範囲】
【請求項１】
スクリューの上にセットされ、主として、中空円筒状の内径に内ねじ山を設け、上記スクリューに対応して相対運動を行い、且つその外径には環状ボール転動溝を備えたナットと、
前記ナットの外周円の上にセットされ、ナットと相対的に転動できるベアリングスリーブと、からなり、
前記ベアリングスリーブの内径には上述ナットの環状ボール転動溝と対応する環状転動溝を備え、ボールが上述対応環状転動溝の中で転動し、且つ前記ベアリングスリーブの外径に前記ベアリングスリーブ内径の環状転動溝と連通するスルーホールを設け、
前記スルーホールに前記ベアリングスリーブの環状転動溝の延伸としてのリテーナーを設けることによってボールが環状に転動し得るように構成したことを特徴とする、
ベアリング式ナット。
【請求項２】
前記ベアリングスリーブのスルーホールは、前記ベアリングスリーブの環状転動溝の切線方向に沿って設置されたことを特徴とする、請求項１に記載のベアリング式ナット。
【請求項３】
前記ベアリングスリーブのスルーホールは、前記ベアリングスリーブの外周円の法線方向に沿って設置されたことを特徴とする、請求項１に記載のベアリング式ナット。
【請求項４】
前記環状転動溝の製造方法は、先ずリテーナーをベアリングスリーブのスルーホールの中にロックしておき、しかる後にベアリングスリーブと共に環状転動溝を形成することを特徴とする請求項１・２・又は３に記載のベアリング式ナット。
【発明の詳細な説明】
【技術分野】
【０００１】
本発明は、ナットを回転させるベアリング式ボールスクリューに替わって、新式のベアリング式ナットに関し、より詳細にはベアリング式ボールスクリューの構成部品を減らして、製造および加工を容易にすることが出来るナットの外側に設置するベアリングナット及びその製造方法に関するものである。
【背景技術】
【０００２】
従来のベアリング式ボールスクリューのナットは、ナットを回転させるベアリングを必要とし、しかも現在ナットにセットされているベアリングは、直接ナットに装着できないため、分離式ベアリングの中間に間座を用いる方式で組み立てている。そして、この方法では、左側のベアリングと右側のベアリング及び中間の間座を同時に加工していないので、幾何形状の誤差を招き易いために、ベアリングを装着した後の同心精度に不良が生じやすい。
又、分離式ベアリング構造では、その内径ボール転動溝の加工において、左側ベアリングと間座及び右側ベアリングと間座を先ず合体させてその内径を加工して形成し、しかる後に三つの部品に分けてそれぞれナットの上に組み立て、最後にこの組み立て品をナットに固定しなければならず、製造工程が煩雑で且つ部品を別々に製作して組み立てるため、組み立ての工数が増える。
【発明の開示】
【発明が解決しようとする課題】
【０００３】
本発明の目的は、ドライブナット外周のベアリングを一体成型構造とし、且つボールをベアリングの外側からはめ込み、ベアリング式ナットの構成部品を減らすと共に、ボールの装填を省力化することの出来るベアリング式ナットを提供することにある。
本発明のもう一つの目的は、ベアリングスリーブ外径上に、貫通するスルーホールを設け、且つその設置方向を、ベアリングスリーブ環状ボール転動溝の切線方向又はベアリングスリーブ外周円の法線方向に沿って設置することの出来るベアリング式ナットを提供することにある。
本発明の更にもう一つの目的は、組み立て方法が簡便で製造や加工が容易なベアリング式ナットを提供することにある。
【課題を解決するための手段】
【０００４】
本願の第１発明に係るベアリング式ナットは、スクリューの上にセットされ、主として、中空円筒状の内径に内ねじ山を設け、上記スクリューに対応して相対運動を行い、且つその外径には環状ボール転動溝を備えたナットと、前記ナットの外周円の上にセットされ、ナットと相対的に転動できるベアリングスリーブと、からなり、前記ベアリングスリーブの内径には上述ナットの環状ボール転動溝と対応する環状転動溝を備え、ボールが上述対応環状転動溝の中で転動し、且つ前記ベアリングスリーブの外径に前記ベアリングスリーブ内径の環状転動溝と連通するスルーホールを設け、前記スルーホールに前記ベアリングスリーブの環状転動溝の延伸としてのリテーナーを設けることによってボールが環状に転動し得るように構成したことを特徴とするものである。
本願の第２発明に係るベアリング式ナットは、前記した第１発明において、前記ベアリングスリーブのスルーホールは、前記ベアリングスリーブの環状転動溝の切線方向に沿って設置されたことを特徴とするものである。
本願の第３発明に係るベアリング式ナットは、前記した第１発明において、前記ベアリングスリーブのスルーホールは、前記ベアリングスリーブの外周円の法線方向に沿って設置されたことを特徴とする。
本願の第４発明に係るベアリング式ナットを製造する方法は、前記した発明１，２，３の何れかのベアリング式ナットを製造する方法であって、先ずリテーナーをベアリングスリーブのスルーホールの中にロックしておき、しかる後にベアリングスリーブと共に環状転動溝を形成することを特徴とするものである。
【０００５】
本発明に係るベアリング式ナットは、主として、ドライブナット及びベアリングスリーブの二つの部分からなる。本発明では、ドライブナット外周のベアリングを一体成型構造のベアリングスリーブとして設計し、且つボールを装填する便利さを考慮して、ベアリングスリーブ外径上に貫通するスルーホールを設け、ボールをベアリングの外側からはめ込めるようにして、ベアリング式ナットの構成部品を減らすと共にボールの装填を省力化することが出来る。
次に、ベアリングスリーブのスルーホールはベアリングスリーブ内径の環状ボール転動溝に連通しているため、ボールはベアリングスリーブ外側からスルーホールを通過してベアリングスリーブ内径の環状ボール転動溝の中で転動する。本発明では、ベアリングスリーブ外径上の貫通スルーホールの設置方向を、ベアリングスリーブの環状ボール転動溝切線方向に沿って設置してもよく、又はベアリングスリーブ外周円法線方向に沿って設置してもよい。
尚、ドライブナットとベアリングスリーブの間のボールが環状ボール転動溝の中で転動する時ベアリングスリーブ内径から落ちこぼれないようにするため、スルーホールにリテーナーを設けてスルーホールを遮断し、スルーホールの中にロックされたリテーナーとベアリングスリーブを一緒に加工して環状ボール転動溝を形成し、リテーナーの部分的構造が環状ボール転動溝から延伸した状態とし、環状ボール転動溝の中のボールが環状転動を行えるようにしている。しかも本発明に係るベアリング式ナットの組み立て方法及びその製造方法では、先ずスルーホールの中のリテーナーを取り出し、ベアリングスリーブの外側のスルーホールからボールを入れ、ボールがベアリングスリーブ内径の環状ボール転動溝へ入るようにし、最後にリテーナーをスルーホールの中にロックしている、従って組み立て方法が簡便であるのみならず、ベアリングスリーブの公差精度に対する要求も大して高くはなく、製造加工が容易である。
又、本発明に係るドライブナットとベアリングスリーブ間のボール装填は、自動装填機構で装填し、ベアリング式ナットの組み立て効率を向上させることも出来る。
【発明の効果】
【０００６】
本発明は従来と比べてつぎのような長所がある。
（１）ドライブナット外周のベアリングを一体成型構造のベアリングスリーブとしているため、製造加工が容易で、装着後の精度がよい。
（２）ボールの装填が簡単で組み立てが容易である。
（３）ボールの装填を自動化できる。
【発明を実施するための最良の形態】
【０００７】
図１は本発明に係るベアリング式ボールスクリューの斜視略図であり、図２はベアリング式ボールスクリューの部分断面図である。
【０００８】
前記したベアリング式ナットはスクリュー１０の上にセットされ、そしてベアリング式ナットの構造は主として、中空円筒状のドライブナット２０と、ドライブナット２０外周円周上にセットされた一体成型ベアリングスリーブ３０と、からなり、前記ドライブナット２０内径にはスクリュー１０と対応する内ねじ山（図示せず）を設け、両者が相対運動を行えるようにしてある。
そしてボール５０はドライブナット２０とベアリングスリーブ３０の間に設置され、前記ベアリングスリーブ３０では、内部にリテーナーを設置した切線方向のスルーホール３１を設けることによって、ボール５０を環状に転動させ、ドライブナット２０とベアリングスリーブ３０が相対的に転動できるようにしてある。
【０００９】
図３に本発明に係るベアリング式の部分断面の側面図を示す。
明らかに本発明に係るベアリング式ナットのドライブナット２０の外径上に環状ボール転動溝３２が設けられていることがわかる。
そして、ベアリングスリーブ３０の内径にも環状ボール転動溝３２が設けられていて、ドライブナット２０とベアリングスリーブ３０の環状ボール転動溝２１及び３２が相互にボール５０の転動経路を形成していて、ドライブナット２０とベアリングスリーブ３０が相対的に転動できるようになっている。
【００１０】
図４は図１ベアリングスリーブのボール装填方式の略図であり、図５は図４のリテーナーの細部詳細図である。
前記ベアリングスリーブ３０の外径にはスルーホール３１を設けて内径の環状ボール転動溝３２へ連通し、ボール５０をベアリングスリーブ３０外径のスルーホール３１から環状ボール転動溝３２へ入れる。しかる後に、リテーナー４０をスルーホール３１の中にロックして、ボール５０がベアリングスリーブ３０から落ちこぼれないようにしてある。
そして、リテーナー４０の端面にはロッキングホール４１を、及びその外周円にはねじ山４２を備え、リテーナー４０をロックできるようにしてある。
リテーナー４０の側面にはベアリングスリーブ３０から延伸した環状ボール転動溝３２の転動溝４３が設けられ、ボール５０がスルーホール３１及び環状ボール転動溝３２の連通場所を通過するときリテーナー４０の転動溝４３の導引によって、環状転動を完成できるようにしてある。
【００１１】
図６は、本発明に係るベアリングスリーブのもう一つの実施例略図であり、図７は図６のリテーナー細部詳細図である。
本実施例におけるベアリングスリーブ７０の内径（内周）には、同じく環状ボール転動溝７２を備え、ボール５０がその中で転動するようにしてある。
【００１２】
前記した実施例と異なるところは、ベアリングスリーブ７０のスルーホール７１は法線方向に沿って設置され、且つスルーホール７１の内部にはねじ山を設けてリテーナー６０をスルーホール７１の中にロックしてあることである。
スルーホール７１が法線方向に沿って設置されているため、その内径のリテーナー６０には、端面にロッキングホール６１及び外周にねじ山６２を備えていことのほか、ボール５０の転動経路と対応する一端にも転動溝６３を設けることによって、ベアリングスリーブ７０の環状ボール転動溝７２を延伸し、ボール５０が環状に転動し得るように完成されている。
【図面の簡単な説明】
【００１３】
【図１】本発明に係るベアリング式ボールスクリューの斜視略図である。
【図２】ベアリング式ボールスクリューの部分断面図である。
【図３】本発明に係るベアリング式ナットの部分断面図である。
【図４】図１のベアリングスリーブにおけるボール装着方式の略図である。
【図５】図４のリテーナーの細部の詳細図である。
【図６】本発明に係るベアリングスリーブのもう一つの実施例の略図である。
【図７】図６のリテーナーの細部の詳細図である。
【符号の説明】
【００１４】
10  スクリュー
20  ドライブナット
21  環状ボール転動溝
30  ベアリングスリーブ
31  スルーホール
32  環状ボール転動溝
40  リテーナー
41  ロッキングホール
42  ねじ山
43  転動溝
50  ボール
60  リテーナー
61  ロッキングホール
62  ねじ山
63  転動溝
70  ベアリングスリーブ
71  スルーホール
72  環状ボール転動溝
【図１】
2006105168.tif 000003
【図２】
2006105168.tif 000004
【図３】
2006105168.tif 000005
【図４】
2006105168.tif 000006
【図５】
2006105168.tif 000007
【図６】
2006105168.tif 000008
【図７】
2006105168.tif 000009